(57)【要約】  芳香ディフューザは、第１のタンクと第２のタンクとを連結するディフューザ要素を有する。両タンクの間を芳香性オイルが流れると、ディフューザー要素が、このオイルによって飽和して、芳香または香気を拡散させる。ディフューザは、必要なものをすべて備えており、インタラクトが容易で、汚れを生じない。ディフューザの一端からオイルが流れ出て、他端から滴が落ち、その度に小さな気泡が１つ出てくる様子は、見ていてリラックス感があり心地よい。ディフューザは、補充でき、持ち運びでき、木製部を飽和させる頻度を増減させることによって、香気の放出強度を容易に制御できる。
2019534077.tif 000002
【特許請求の範囲】
【請求項１】
装置であって、
第１のタンクを備え、前記第１のタンクは、前記第１のタンクの第１のチャンバに第１の開口部を含み、
さらに、第２のタンクを備え、前記第２のタンクは、前記第１のタンクの第２のチャンバに第２の開口部を含み、
さらに、ディフューザ要素を備え、前記ディフューザ要素はセルロースを含み、前記ディフューザ要素は、前記第１のタンクの前記第１の開口部と前記第２のタンクの前記第２の開口部との間に結合され、前記ディフューザ要素の外表面は複数のスラットおよび複数のグルーブを含み、前記複数のスラットは互いに平行に延在し、
さらに、第１の管を備え、前記第１の管は、前記ディフューザ要素を貫通して延在し、前記第１の管は、前記第１のチャンバと前記第２のチャンバとを結合する、装置。
【請求項２】
前記ディフューザ要素は、マツ、ナラ、サクラ、ポプラ、ヤナギ、トウ、ヒマラヤスギ、モミ、ツガ、セコイア、トウヒ、ブナ、イトスギ、ハンノキ、アスペン、カバ、マホガニー、シタン、チーク、ウェンジ、またはカエデのうち少なくとも１種の木の無垢材を含む、請求項３に記載の装置。
【請求項３】
前記ディフューザ要素は２つの部分を含み、第１の部分はダボを含み、第２の部分は、前記複数のスラットおよび前記複数のグルーブと、中央コア開口部とを含み、前記第１の部分は、前記第２の部分の前記中央コア開口部の中に嵌合されるように構成される、請求項３に記載の装置。
【請求項４】
前記ダボは、その外周に、第１のガスケットを保持するための第１の窪みを含み、かつ、前記ダボは、その外周に、第２のガスケットを保持するための第２の窪みを含み、
前記第１の部分が前記第２の部分の中に嵌合された際に、前記第１のガスケットは、前記複数のスラットおよび前記複数のグルーブの第１の側に位置し、一方、前記第２のガスケットは、前記複数のスラットおよび前記複数のグルーブの第２の側に位置し、前記第２の側は前記第１の側の逆側である、請求項５に記載の装置。
【請求項５】
前記第１の部分および前記第２の部分は、同一の無垢材材料を含む、請求項５に記載の装置。
【請求項６】
前記複数のスラットは、前記第１の管を横切る方向に延在する、請求項３に記載の装置。
【請求項７】
前記ディフューザ要素は、前記第１の管と略同一方向に延在する木目を有する無垢材を含む、請求項３に記載の装置。
【請求項８】
装置であって、
第１のタンクを備え、前記第１のタンクは、前記第１のタンクの第１のチャンバに第１の開口部を含み、前記第１の開口部は第１の雄ねじ部を含み、
さらに、第２のタンクを備え、前記第２のタンクは、前記第１のタンクの第２のチャンバに第２の開口部を含み、前記第２の開口部は第２の雄ねじ部を含み、
さらに、ディフューザ要素を備え、前記ディフューザ要素はセルロースを含み、前記ディフューザ要素は、前記第１のタンクの前記第１の開口部と前記第２のタンクの前記第２の開口部との間に結合され、前記ディフューザ要素の外表面は複数のスラットおよび複数のグルーブを含み、前記複数のスラットは互いに平行に延在し、
さらに、第１の雌ねじ状受け部を備え、前記第１の雌ねじ状受け部は、前記ディフューザ要素の第１の端部に形成され、前記第１の雌ねじ状受け部は、前記第１のタンクの前記第１の雄ねじ部と結合し、
さらに、第２の雌ねじ状受け部を備え、前記第２の雌ねじ状受け部は、前記ディフューザ要素の第２の端部に形成され、前記第２の端部は前記第１の端部の逆側であり、前記第２の雌ねじ状受け部は、前記第２のタンクの前記第２の雄ねじ部と結合し、
さらに、第１のガスケットを備え、前記第１のガスケットは、前記ディフューザ要素の前記第１の雌ねじ状受け部と、前記第１のタンクの前記第１の開口部との間に結合され、
さらに、第２のガスケットを備え、前記第２のガスケットは、前記ディフューザ要素の前記第２の雌ねじ状受け部と、前記第１のタンクの前記第２の開口部との間に結合され、
さらに、第１の管を備え、前記第１の管は、前記ディフューザ要素を貫通して延在し、前記第１の管は、前記第１のチャンバと前記第２のチャンバとを結合する、装置。
【請求項９】
前記ディフューザ要素は、マツ、ナラ、サクラ、ポプラ、ヤナギ、トウ、ヒマラヤスギ、モミ、ツガ、セコイア、トウヒ、ブナ、イトスギ、ハンノキ、アスペン、カバ、マホガニー、シタン、チーク、ウェンジ、またはカエデのうち少なくとも１種の木の無垢材を含む、請求項８に記載の装置。
【請求項１０】
前記複数のスラットは、前記第１の管を横切る方向に延在する、請求項８に記載の装置。
【請求項１１】
前記ディフューザ要素は、前記第１の管と略同一方向に延在する木目を有する無垢材を含む、請求項８に記載の装置。
【請求項１２】
前記複数のグルーブが前記第１の雌ねじ状受け部に隣接して延在する第１の距離は、前記複数のグルーブが第２の管に隣接して延在する距離よりも短く、前記第２の管は、前記第１の雌ねじ状受け部と前記第２の雌ねじ状受け部との間に位置する、請求項８に記載の装置。
【請求項１３】
前記ディフューザ要素の前記第１の雌ねじ状受け部と前記第２の雌ねじ状受け部との間に位置する第２の管と、
前記第２の管の中に結合されるディフューザコアとを備え、前記第１の管は前記ディフューザコアを貫通する、請求項８に記載の装置。
【請求項１４】
前記ディフューザコアは、第１の円錐形部および第２の円錐形部との間に結合された円筒形シャフト部を含む、請求項１３に記載の装置。
【請求項１５】
前記第１の管の第１の軸と、前記第２の管の第２の軸とは、同一線上にはない、請求項１３に記載の装置。
【請求項１６】
前記第１のタンクは、前記第１のタンクの上側リム部よりも直径の大きい下側ベース部を含む、請求項１３に記載の装置。
【請求項１７】
方法であって、
第１のタンクを提供する工程であって、前記第１のタンクは、前記第１のタンクの第１のチャンバに第１の開口部を含む、工程と、
第２のタンクを提供する工程であって、前記第２のタンクは、前記第１のタンクの第２のチャンバに第２の開口部を含む、工程と、
前記第１のタンクと前記第２のタンクとの間にディフューザ要素を結合する工程であって、前記ディフューザ要素はセルロースを含み、前記ディフューザ要素は、前記第１のタンクの前記第１の開口部と前記第２のタンクの前記第２の開口部との間に結合され、前記ディフューザ要素の外表面は複数のスラットおよび複数のグルーブを含み、前記複数のスラットは互いに平行に延在する、工程と、
前記ディフューザ要素を貫通して延在する第１の管を提供する工程であって、前記第１の管は前記第１のチャンバと前記第２のチャンバとを結合する、工程とを含む、方法。
【請求項１８】
前記ディフューザ要素は、マツ、ナラ、サクラ、ポプラ、ヤナギ、トウ、ヒマラヤスギ、モミ、ツガ、セコイア、トウヒ、ブナ、イトスギ、ハンノキ、アスペン、カバ、マホガニー、シタン、チーク、ウェンジ、またはカエデのうち少なくとも１種の木の無垢材を含む、請求項１７に記載の方法。
【請求項１９】
前記第１の開口部は第１の雄ねじ部を含み、前記第２の開口部は第２の雄ねじ部を含み、前記方法は、
前記ディフューザ要素の第１の端部に第１の雌ねじ状受け部を形成して提供する工程であって、前記第１の雌ねじ状受け部は、前記第１のタンクの前記第１の雄ねじ部と結合する、工程と、
前記ディフューザ要素の第２の端部に第２の雌ねじ状受け部を形成して提供する工程であって、前記第２の端部は前記第１の端部の逆側にあり、前記第２の雌ねじ状受け部は、前記第２のタンクの前記第２の雄ねじ部と結合する、工程とを含む、請求項１７に記載の方法。
【請求項２０】
前記複数のグルーブが前記第１の雌ねじ状受け部に隣接して延在する第１の距離は、前記複数のグルーブが第２の管に隣接して延在する距離よりも短く、前記第２の管は、前記第１の雌ねじ状受け部と前記第２の雌ねじ状受け部との間に位置する、請求項１９に記載の方法。
【発明の詳細な説明】
【技術分野】
【０００１】
関連出願との相互参照
本特許出願は、２０１６年１０月１２日に出願された米国特許出願第６２／４０７，４１０号の利益を主張し、この米国特許出願は、本願で引用された他のすべての引例とともに、引用により援用される。
【０００２】
発明の背景
本発明は、概して、芳香を定量吐出するデバイスまたは装置に関し、より具体的には、芳香または香気ディフューザに関する。
【背景技術】
【０００３】
人間は五感を有し、そのなかでも嗅覚は非常に重要である。嗅覚は、健康や記憶、感情、および、人間の生活と幸福に関わるその他多くの側面に影響を及ぼす。人は、自分のいる場所や環境においてよい香りがすることを好む。根本的に、人は、よい香りに囲まれていると、幸せでよりよい生活を送ることができるのである。実際、世界の芳香市場は規模が大きく、成長を続けている。
【０００４】
人は、よい香りが広がるようにするための、より良い方法を求めている。芳香を定量吐出する手段としては、リードディフューザ、キャンドル、プラグインディフューザ、ジェルディフューザ、ルームスプレー、ポプリ、および超音波ミスト発生器などがある。こうした製品は、エアフレッシュナとしての使用やアロマテラピーでの使用が成功しているが、欠点もある。
【０００５】
こうした製品の短所として、以下のことが挙げられる。リードディフューザの場合、こぼれやすく、放出時間を設定できず、一旦開封すると容易に動かせず、こぼれた時に家具に損傷が及び、触ると汚れる。キャンドルの場合、公共の場所の多くでは火の使用が許可されておらず、吹き消した後に煙が発生し、補充できず、日中に使用すると目立つ。プラグインディフューザの場合、自然のものではなく、装飾性がない。ジェルディフューザの場合、天然油ではなく、インタラクティブでなく、優美でなく、補充できない。ルームスプレーの場合、蒸発するのが早く、自然のものではない。ポプリの場合、放出時間を設定できず、インタラクティブでなく、優美でなく、補充できない。超音波ミスト発生器の場合、コンセントに差し込まなくてはならず、インタラクティブでない。
【０００６】
こうした事情から、芳香および香気を定量吐出するための、改善されたデバイス、装置、および技術が必要とされている。
【発明の概要】
【課題を解決するための手段】
【０００７】
発明の簡単な概要
芳香ディフューザは、第１のタンクと第２のタンクとを連結するディフューザ要素を有する。両タンクの間を芳香性オイルが流れると、ディフューザ要素が、このオイルによって飽和して、芳香または香気を拡散させる。ディフューザは、必要なものをすべて備えており、インタラクトが容易で、汚れを生じない。ディフューザの一端からオイルが流れ出て、他端から滴が落ち、その度に小さな気泡が１つ出てくる様子は、見ていてリラックス感があり心地よい。ディフューザは、補充でき、持ち運びでき、木製部を飽和させる頻度を増減させることによって、香気の放出強度を容易に制御できる。
【０００８】
一実現例において、２つのガラス製の容器が木片で連結され、香気液が、木片を通る際に、木片に吸収され、浸み込み、香気液が蒸発する際に、香気が周囲に拡散する。木片は、これを貫通する穴を有し、この穴の他にも、香気液を木製部に十分に浸透させて木製部を飽和させるための穴を、２〜３個有する。木片は、２つの層を有する。固体であり且つ完全に飽和する内層と、複数のスラットまたはリッジが切り込まれている外層とである。外層は、触れると、常に乾いているか、または比較的乾いており、その間に空間があるために蒸発が可能となって、内層の香気が拡散する。
【０００９】
木片は、幅の狭い２つの端部を有し、この２つの端部は、香気液の滴が２つのガラス製の容器の間を落ちることができるよう、正確な角度をつけて切削されている。木片は、さらに、２つのプラスチック製オーリングを有し、この２つのオーリングは、木製部にあいた上述の小穴の外側を通って香気液が浸出するのを防ぐ障壁として機能する。他の実現例においては、木片が複数用いられ、これら複数の木片は、香気液が過剰に漏出するのを防ぐ目的で、互いに接着されている。上記２つのガラス製の容器は、形状およびサイズが同一である。上記２つのガラス製の容器は、他の非浸透性材料で形成されていてもよい。
【００１０】
一実現例において、装置は、第１のタンクを備え、第１のタンクは、第１のタンクの第１のチャンバに第１の開口部を含み、さらに、第２のタンクを備え、第２のタンクは、第１のタンクの第２のチャンバに第２の開口部を含み、さらに、ディフューザ要素を備え、ディフューザ要素はセルロース（木など）を含み、ディフューザ要素は、第１のタンクの第１の開口部と第２のタンクの第２の開口部との間に連結され、ディフューザ要素の外表面は複数のスラットおよび複数のグルーブを含み、複数のスラットは互いに平行に延在し、さらに、第１の管を備え、第１の管は、ディフューザ要素を貫通して延在し、第１の管は、第１のチャンバと第２のチャンバとを連結する。
【００１１】
一実現例において、装置は、第１のタンクを備え、第１のタンクは、第１のタンクの第１のチャンバに第１の開口部を含み、第１の開口部は第１の雄ねじ部を含み、さらに、第２のタンクを備え、第２のタンクは、第１のタンクの第２のチャンバに第２の開口部を含み、第２の開口部は第２の雄ねじ部を含み、さらに、ディフューザ要素を備え、ディフューザ要素はセルロース（木など）を含み、ディフューザ要素は、第１のタンクの第１の開口部と第２のタンクの第２の開口部との間に連結され、ディフューザ要素の外表面は複数のスラットおよび複数のグルーブを含み、複数のスラットは互いに平行に延在し、さらに、第１の雌ねじ状受け部を備え、第１の雌ねじ状受け部は、ディフューザ要素の第１の端部に形成され、第１の雌ねじ状受け部は、第１のタンクの第１の雄ねじ部と連結しており、またはこれと噛み合っており、さらに、第２の雌ねじ状受け部を備え、第２の雌ねじ状受け部は、ディフューザ要素の第２の端部に形成され、第２の端部は第１の端部の逆側であり、第２の雌ねじ状受け部は、第２のタンクの第２の雄ねじ部と連結しており、またはこれと噛み合っており、さらに、第１のガスケットを備え、第１のガスケットは、ディフューザ要素の第１の雌ねじ状受け部と、第１のタンクの第１の開口部との間に連結され、さらに、第２のガスケットを備え、第２のガスケットは、ディフューザ要素の第２の雌ねじ状受け部と、第１のタンクの第２の開口部との間に連結され、さらに、第１の管を備え、第１の管は、ディフューザ要素を貫通して延在し、第１の管は、第１のチャンバと第２のチャンバとを連結する。
【００１２】
一実現例において、方法は、第１のタンクを提供する工程であって、第１のタンクは、第１のタンクの第１のチャンバに第１の開口部を含む、工程と、第２のタンクを提供する工程であって、第２のタンクは、第１のタンクの第２のチャンバに第２の開口部を含む、工程と、第１のタンクと第２のタンクとの間にディフューザ要素を連結する工程であって、ディフューザ要素はセルロースを含み、ディフューザ要素は、第１のタンクの第１の開口部と第２のタンクの第２の開口部との間に連結され、ディフューザ要素の外表面は複数のスラットおよび複数のグルーブを含み、複数のスラットは互いに平行に延在する、工程と、ディフューザ要素を貫通して延在する第１の管を提供する工程であって、第１の管は第１のチャンバと第２のチャンバとを連結する、工程とを含む。
【００１３】
本発明の他の目的、特徴、および利点は、以下の詳細な説明および添付の図面を考慮することで明らかになるであろう。図面中、同様の参照記号は、すべての図面を通して同様の特徴を表す。
【図面の簡単な説明】
【００１４】
【図１】香気グラスディフューザの一実現例を示す。
【図２】上記ディフューザのディフューザ要素の拡大図である。
【図３】ディフューザの機能ブロック図である。
【図４】一塊の材料からディフューザ要素を作製する方法を示す。
【図５】芳香ディフューザの別の一実現例を示す。
【図６】芳香ディフューザの上記別の一実現例を示す。
【図７】芳香ディフューザの上記別の一実現例を示す。
【図８】芳香ディフューザの上記別の一実現例を示す。
【図９】芳香ディフューザの上記別の一実現例を示す。
【図１０】芳香ディフューザの上記別の一実現例を示す。
【図１１】芳香ディフューザの上記別の一実現例を示す。
【図１２】芳香ディフューザの上記別の一実現例を示す。
【図１３】芳香ディフューザの上記別の一実現例を示す。
【図１４】芳香ディフューザの他の実現例を示す。
【図１５】芳香ディフューザの上記他の実現例を示す。
【図１６】芳香ディフューザのさらに別の一実現例を示す。
【図１７】芳香ディフューザの上記さらに別の一実現例を示す。
【図１８】芳香ディフューザの上記さらに別の一実現例を示す。
【図１９】芳香ディフューザの上記さらに別の一実現例を示す。
【図２０】芳香ディフューザの上記さらに別の一実現例を示す。
【図２１】芳香ディフューザのディフューザリング要素の詳細を示す。
【図２２】上記芳香ディフューザのディフューザリング要素の詳細を示す。
【図２３Ａ】芳香ディフューザの木製コア要素の詳細を示す。
【図２３Ｂ】上記芳香ディフューザの木製コア要素の詳細を示す。
【図２３Ｃ】上記芳香ディフューザの木製コア要素の詳細を示す。
【図２３Ｄ】上記芳香ディフューザの木製コア要素の詳細を示す。
【図２４】芳香ディフューザのボトルの詳細を示す。
【図２５】上記芳香ディフューザのボトルの詳細を示す。
【図２６】芳香ディフューザの一実現例の写真である。
【発明を実施するための形態】
【００１５】
発明の詳細な説明
図１は、ガラス製の容器、ディフューザ要素、オーリング、および芳香性オイルを含む香気グラスディフューザの一実現例を示す。図２は、上記ディフューザ要素の拡大図または近接図である。
【００１６】
図３は、芳香ディフューザまたはディフューザの機能ブロック図である。この芳香ディフューザの一実現例は、「香気グラス」と称される。ディフューザは、第１のタンク３０８および第２のタンク３１０を含む。第１のタンクは開口部３１１を有し、第２のタンクは開口部３１３を有する。
【００１７】
２つのタンクは、ガラス製の容器、フラスコ、または広口ビンであってよいが、ポリマー、プラスチック、ポリカーボネートなどの、液体を保持できる任意の材料からなる器であってもよい。２つのタンクは、タンクの内容物がタンクの外から見えるよう、透明または半透明（たとえば、つや消しまたはエッチングを施した材料）である。使用者は、ディフューザ内のオイルの量を確認できる。しかしながら、他の実現例においては、タンクは不透明であってもよい。２つのタンクは、同一の形状を有してもよく、または、異なる形状を有してもよい。ガラスは、吹きガラス、クリスタルガラス、または鉛クリスタルガラスであってよい。
【００１８】
ディフューザ要素、または拡散を行なう要素、３１７がある。ディフューザ要素は、第１のタンクの開口部３１１と第２のタンクの開口部３１３との間に連結される。ディフューザ要素は、これを貫通して延在する内部管３２２（図中に破線で示す）を有する。この管は、第１のタンクの内部チャンバ３２５と、第２のタンクの内部チャンバ３２８とを連結する。一実現例において、ディフューザ要素は、木、植物性材料、またはセルロース繊維材料から作製される。しかしながら、他の実現例において、同等の拡散能力または拡散機能性を示す他の材料が使用されてもよい。
【００１９】
ディフューザ要素の外表面は、複数のグルーブ３３３および３３７を含む。複数のグルーブは互いに平行に延在する。ディフューザ要素に含まれるグルーブの数は任意の数でよく、図中に示される数より多くても少なくてもよく、たとえば、２、３、４、５、１０、２０、またはそれを超える数のグルーブが含まれてよい。複数のグルーブは、ディフューザ要素の周りに延在する。スラットまたはリッジ３３８は、グルーブがあることによって形成されるもので、たとえば、２つのグルーブの間に１つのスラットが形成される。スラットまたはリッジは、フィンまたは突出部とも称されてよい。グルーブは、スラットまたはリッジに隣接する空間と考えてよい。
【００２０】
図１および図２中に示すように、三次元において、グルーブが円筒形を形成していて、複数のスラットまたはリッジが平行な円盤状であるように見える。この円盤の形状は、円形であってよいが、他の実現例においては、楕円形、長円形（ｏｖａｌ）、長楕円形（ｏｂｒｏｕｎｄ）、多角形、四角形、矩形といった他の形状であってもよい。グルーブおよびスラットまたはリッジは、ディフューザ要素の中央または中心を第１の方向３３９に沿って通る軸に対して対称であり、複数のスラットまたはリッジは、この軸に対して横方向または垂直に、第２の方向３４０に沿って延在する。スラットまたはリッジの向きは、オイルが管を通って流れる方向に対して垂直である。しかしながら、他の実現例においては、スラットまたはリッジの向きは、第１の方向３３９に平行であってもよく、または、軸もしくはオイルが流れる方向に対して他の角度を有していてもよい。
【００２１】
一実現例において、第１の方向３３９に沿ったディフューザ要素の全長は、第２の方向３４０に沿った全幅より長い。しかしながら、他の実現例においては、第１の方向３３９に沿ったディフューザ要素の長さは、第２の方向３４０に沿ったその幅より短い。
【００２２】
オーリング、ガスケット、座金、または封止材３４１および３４３が、ディフューザ要素の窪み３４６および３４８に連結される。ガスケット３４１は、第１のタンクの開口部３１１を封止し、これにより、タンクからの芳香性オイル３５０の漏出が防止される。ガスケット３４３は、第２のタンクの開口部３１３を封止する。ガスケットは、ゴム、ネオプレン、または、オイルもしくは他の液体と共存でき且つこれを封止できる他の材料であってよい。１つの側に図示されているガスケットは１つのみであるが、必要に応じて、封止を改善する目的から、たとえば、２個、３個、４個、またはそれを超える数といったように、複数のガスケットを１つの側に用いてもよい。典型的には、両側のガスケットの数は同一であるが、この数は異なってもよい（たとえば、１個と２個、および２個と３個、といった任意の組み合わせでもよい）。
【００２３】
他の実施形態において、木製部にねじ山が切られていることにより、ガラス製のタンクをねじ込んで付け外しすることができる。ねじ山の最下部に円形ガスケットがあり、これにより、ガラス製のタンクの首部の上部が木製部に対して封止される。また、パズル様式のスナップフィットを部分的に用いて、正確なグルーブ固定機構により、ガラス製のタンクの首部を木製部に取りつけてもよい。
【００２４】
パッケージまたはキットは、タンクの１つ（たとえば、第１のタンク）にアロマ性芳香オイルまたは液体があらかじめ充填された香気グラスまたは芳香ディフューザを含む。使用する際、使用者は、芳香を定量吐出したい空間または場所において、テーブルまたは他の表面に、ディフューザを載置する。各タンクの底面は比較的平坦であるため、平坦な表面に安定して載置できる。
【００２５】
芳香オイルでディフューザ要素が飽和され得たら、オイル（たとえば、オイル３５０）の入ったタンク（たとえば、第１のタンク）がディフューザ要素および他のタンク（たとえば、第２のタンク）より上にくるように、ディフューザが表面に載置される。オイルが重力によって流れ得て、ディフューザ要素に接触し、ディフューザ要素が、オイルの一部を吸収する。オイルの一部がディフューザ要素内部の管を通り抜け得て、滴３６３が、下側のタンク（たとえば、第２のタンク）の中に落ちる。オイル滴が下側のタンクの中に落ちると、気泡３６６がいくつか、上側のタンク内のオイルの中を浮き上がってきてよい。しばらく後に、上側のタンク内のオイルの全量が下側のタンク内に（たとえば、オイル３７０として）回収され得て、オイルの落下が停止し得る。
【００２６】
一実現例において、オイルで満たされた上側のタンクが、下側のタンク中への滴の落下によって空になるまでの時間は、約２０分間である。厳密な時間は、６分間、８分間、１０分間、１５分間、２５分間、３０分間、４０分間、５０分間、６０分間（すなわち１時間）、９０分間、または１２０分間などのように変動してよく、管のサイズ、温度、ならびにオイルの粘度および量などの要因に依存してよい。次いで、使用者が、ディフューザを逆さに向けて、上側だったタンク（たとえば、第２のタンク）を下側のタンク（たとえば、第１のタンク）とし、かつ、下側だったタンクを上側のタンクとすることにより、上記のプロセスを再度開始してよい。
【００２７】
芳香オイルは、使用および蒸発によって経時的に消費され得る。空になった際、または一部に空間ができた際、使用者は、タンクの１つからディフューザ要素（栓としても機能している）を外して、その芳香オイルと同一のまたは異なるオイル（たとえば、異なる香気）を用いて、その空間に補充、またはその空間を満たし、次いで、そのタンクに補充してよい。ディフューザ要素がタンクに元通り挿入されることにより、補充プロセスが完了となる。いくつかの実現例において、芳香ディフューザを含むパッケージまたはキットには、オイルがあらかじめ充填されておらず、使用者が、上述の手順などによって、オイルを充填してよい。
【００２８】
芳香性オイルは、精油などの、揮発性芳香成分または揮発性アロマ性成分を含有する任意の液体またはオイルであってよい。芳香性オイルは、キャリアオイルと精油との混合物であってよい。キャリアオイルは、顕著な匂いがなく且つ一般的に揮発性が精油より低いオイルである。精油は、アロマを有する植物に由来するオイルである。精油の代わりに、または精油に加えて、上記アロマ性成分は、合成のアロマ性成分（たとえば、合成油、アルデヒド、ケトン、またはアルコール）であってもよい。上記芳香性オイル混合物は、また、アルコール（たとえば、イソプロピルアルコールまたはエタノール）および水を含んでもよい。このアルコールは溶液の乳化を助け、また、溶液中のアロマ性成分の揮発を助け得る。使用される芳香性オイル溶液は、たとえば、消費者が入手できる多くのリードディフューザ補充用オイルのうちの１種であってよい。
【００２９】
キャリアオイルの例としては、たとえば、スイートアーモンド、キョウニン、アボカド、マツヨイグサ、ホホバなど、およびこれらの組み合わせが挙げられる。精油の例としては、たとえば、ベルガモット、クラリセージ、ケイヒ、ユーカリ、クチナシ、グレープフルーツ、ジャスミン、ラベンダー、レモン、ライム、パチュリ、ペパーミント、ローズマリー、スペアミント、スイートオレンジ、バニラ、ティーツリー、およびタイム、およびこれらの組み合わせが挙げられる。合成芳香の例としては、たとえば、アマ、リンゴ、バナナ、ベリー類、柑橘類、綿菓子、キャラメルコーン、ケトルコーン、アップルパイ、マンダリン、草原、雨、クリスマスツリー、パンプキンスパイス、チョコレート、ジンジャーブレッド、潮風、花束、ハワイアンなどが挙げられ、これらのうちいくつかは、恣意的な名称または意味を有したものであってもよい。芳香は、植物性または天然の芳香と、合成または人工の芳香との組み合わせであってもよい。
【００３０】
一実現例において、ディフューザ要素は、木、植物性材料、または、セルロース繊維を含有する他の材料で作製されていてよい。植物材料の細胞壁は、主としてセルロースからなる。ディフューザ要素が芳香性オイルを吸収し、この芳香性オイルにより、ディフューザ要素の表面が湿潤するまたは飽和する。この表面が、外部空間の空気に曝露される。オイルが蒸発することにより、オイルから揮発した化学物質（芳香の元となる分子を含む）が、外部空間の空気中に運ばれる。
【００３１】
ディフューザ要素に使用できる木の例としては、たとえば、マツ（pine）、ナラ（oak）、サクラ（cherry）、ポプラ（poplar）、ヤナギ（willow）、トウ（rattan）、ヒマラヤスギ（cedar）、モミ（fir）、ツガ（hemlock）、セコイア（redwood）、トウヒ（spruce）、ブナ（beech）、イトスギ（cypress）、ハンノキ（alder）、アスペン（aspen）、カバ（birch）、マホガニー（mahogany）、シタン（rosewood）、チーク（teak）、ウェンジ（wenge）、カエデ（maple）など、およびこれらの任意の組み合わせが挙げられる。たとえば、２つの部材からなるディフューザ要素（下記を参照のこと）の場合、一方の部材はある種類の木から作製され、もう一方の部材は別の種類の木から作製されていてよい。
【００３２】
芳香ディフューザは、リードディフューザと比較して、著しく改善されている。典型的には、現行のリードディフューザは、蓋のない容器１つと、開口部に突き刺さった何本かの木製リードとからなる。まず、底にある液体をリードが吸収した後、リードを容器から取り出して逆さに向ける必要がある。こうすることにより、飽和した方の端が外部の空気に曝露され、外部環境中への拡散が生じ得る。
【００３３】
慣習的なリードディフューザの場合、空気を新鮮にする過程で汚れが生じる。というのは、リードから液滴が落ち、多くの場合には、周りの家具を損傷するからである。また、リードに触れる必要があるため、手の皮膚にも液体が吸収される。香気リフレッシュをする際において、心地のよいインタラクティブな要素はない。というのは、香気のついたリードが、使用者により制御されることなく、空気を飽和させ、場合によっては、香気の濃度が、使用者にとって心地よい濃度をはるかに超えてしまう。
【００３４】
リードを逆さにし、飽和したリード端を空気に曝露する、リードディフューザとは異なり、芳香ディフューザは、その全体を上下反転させて香気リフレッシュする。芳香ディフューザを上下反転させると、滴として下のタンクに落ちた芳香オイルが、上下反転して上のタンクになる。そして、芳香性オイルが、再度、ディフューザ要素を湿潤させる、または飽和させる。
【００３５】
木、植物性材料、またはセルロース繊維材料が、オイル吸収性を有していることから、ディフューザ要素に使用される。こうした材料は、隙間、細胞間隙、または細孔、またはそれらの組み合わせを有し、そこにオイルが溜まる。拡散の原理に基づき、毛管作用によってオイルが表面へと運搬され、そこで、オイルが蒸発し得る。
【００３６】
具体的には、フィックの拡散法則に基づいて特徴づけられてもよい拡散の原理に基づいて、材料の細胞間隙または細孔の中にオイルが吸収される。したがって、ディフューザ要素の表面にはオイルの高張溶液が存在し（たとえば、オイルの濃度が材料中より高い）、オイルが、平衡に達するまで、材料中に吸収される。平衡状態では、オイルは材料に対して等張液であり得る。空気に曝露されるディフューザ要素の表面には、オイルの低張液が存在し得る。オイルおよび芳香が空気中に蒸発または拡散し得て、この現象が、平衡に達するまで継続し得る。
【００３７】
この拡散サイクルが継続する限り、ディフューザ要素は芳香を定量吐出し続ける。つまり、ディフューザ（オイルの濃度が高い）の中から、部屋または空間の空気中（オイルの濃度が低い）へと、オイルをゆっくりと移動させ続ける。平衡に達し得る状況とは、オイルとディフューザ要素との接触がなくなる、またはオイルの全量が消費される、といった状況である。
【００３８】
芳香の拡散サイクルを維持するためには、内部表面オイルがオイルと接触し続けている必要がある。したがって、オイルの全量が下側のタンク中に排出された際に、使用者は、ディフューザを上下反転させて、オイルを再度、ディフューザ要素（たとえば、ディフューザ要素の反対の端）と接触させてよい。ディフューザ内部におけるオイルの流れは可逆性であり、その方向は、いずれのタンクが上側のタンクであるかに応じて変わる。
【００３９】
この系は、ディフューザ要素の外表面を除いて、完全に封止かつ封入されている。オイルはユニット内部に封止されており、リードディフューザの場合とは異なって、オイルは容易にはこぼれない。リードを上下反転させる際には滴が落ちることがあり得るが、このユニットを上下反転させる際には、滴が落ちることはないであろう。使用者がユニットを上下反転させる際には、オイルのついていないタンク表面を持ち、これを握った状態で行なうため、使用者の手にオイルがつくことはないであろう。
【００４０】
ディフューザ要素材料に吸収されるオイルの量は、オイルに接している表面積の大きさに依存する。この表面積が大きいほど、吸収量が多く、かつ、空気に接している表面へとオイルが運搬され得る速度が速い。一実現例において、オイルの滴が上側のタンクから下側のタンクへと徐々にまたはゆっくりと落ちることができるよう、（たとえば、ドリルビットで穿孔することにより）穴が形成される。これにより、オイルとの接触表面積が増大し、かつ、オイルとの接触表面と、空気との接触表面との間の距離が短くなる。他の実現例において、ディフューザ要素にさらに穴または開口部が穿孔されることにより、オイルとの接触表面を増大させてもよい。こうした穴のうちいくつかは、必ずしも、ディフューザ要素の中を、第１のタンクから第２のタンクまで貫通していなくてよい。上記以外にも、たとえば、羽部、スラット、リッジ、ピン、らせん状部、グルーブ、凹み、トレンチ、突出部、フィン、または他のデザインといった、表面積を増大させる特徴が、ディフューザ要素の内側の表面に設けられてもよい。
【００４１】
類似する原理が、ディフューザ要素の、空気と接触する外側の表面にも適用される。この表面積が大きいほど、空気中へのオイルおよび芳香の蒸発または拡散が多い。具体的な一実現例において、外表面上に一連のスラットまたはリッジおよびグルーブが形成され、これらにより、表面積が増大される。他の実現例においては、たとえば、羽部、らせん状部、グルーブ、凹み、トレンチ、突出部、フィン、または他のデザインといった、上記以外の特徴によって、表面積が増大されてもよい。
【００４２】
木または植物性材料は、通常、その材料の内部を、木目などが通っている。こうした木目は、リボン状セルロース集合体が木の内部を通っているために形成され得る。このリボン状集合体によって、水または栄養剤が、植物の内部を運搬される。一実現例において、木目の延在する方向が、オイルの流れる方向と同一であるように、ディフューザ要素が作製され、この場合、オイルの流れる方向が、木の幹または植物の茎の内部で（植物細胞内を通る浸透などにより）水が流れ且つ拡散する方向と類似することになる。木目の方向を、水の流れる方向と同一とすることにより、材料の内部におけるオイルの拡散吸収速度が、概して速くなり得る。しかしながら、他の実現例においては、木目の延在する方向が、オイルの流れる方向に垂直となるように、またはオイルの流れる方向とは異なる方向となるように、ディフューザ要素が作製される。
【００４３】
図４は、一塊の材料からディフューザ要素を作製する方法を示す。一実現例において、ディフューザ要素は、一塊の木、一塊の植物性材料、または、一塊の、セルロース繊維を含有する他の材料から作製される。一塊の木は、無垢材、合板、圧縮材、繊維板、パーティクルボード、中密度繊維板、ハードボード、集成材、処理材、突板を有する木部繊維などであってよい。ディフューザ要素は、木工または機械加工の技術（たとえば、ろくろ細工など）および機器を用いて製造されてよい。加工機器の例としては、たとえば、旋盤、ノコギリ、えぐり機（ｒｏｕｔｅｒ）、カッタ、およびノミ、ヤスリ、サンダー、サンドペーパ、グラインダ、ベルトサンダー、えぐり機などが挙げられる。
【００４４】
ディフューザ要素を作製する技術においては、ろくろ細工および旋盤が用いられる。図４中、出発材料である塊４０６の例（たとえば木塊）が破線で示される。この塊が、２つの点４１２および４１５が軸４０９に沿うようにして、旋盤上に載置される。この軸を中心にして、塊が回転する。
【００４５】
木工工具（たとえば、ノミ、丸ノミ、または他の木彫工具）を用いて、第１の端部に第１の半径４２５を有する第１の部分４２３と、第２の半径４２９を有する第２の部分４２７とが作製される。一実現例において、第１の半径は第２の半径と同一である。第１の部分と第２の部分との間に、表面積を増大させる複数のスラットまたはリッジ４３６を有する第３の部分４３４がある。複数のスラット４３６同士の間に、第３の半径４４２を有するグルーブ４３８が形成される。一実現例において、第３の半径は第１の半径と同一である。スラットは、第１の半径より大きい第４の半径（図示せず）を有する。第１の部分および第２の部分の直径は、第３の部分におけるスラットの直径より小さい。
【００４６】
さらに、第１の部分および第２の部分において、窪み４５１および４５３がそれぞれ形成され、この窪みが、ガスケット、封止材、またはオーリングの保持を補助するために使用されてよい。この窪みまたは凹みは、第１の半径より小さい第４の半径４５５を有してよい。この窪みは、ディフューザ要素の軸の周りに、窪んだまたは凹んだリングを形成する。
【００４７】
上述されるように機械加工された塊には、旋盤からおろされた後、適切なサイズのドリルビットを使用した穿孔により、管３２２が形成されてよい。たとえば、１／８インチのドリルビットの使用により、１／８インチの管が穿孔されてよい。１／４インチのドリルビットの使用により、１／４インチの管が穿孔されてよい。３／８インチのドリルビットの使用により、３／８インチの管が穿孔されてよい。４ミリメートルのドリルビットの使用により、４ミリメートルの管が穿孔されてよい。端部が、軸に対して角度（たとえば、３０、４５、６０、または９０度）をつけて切削されることによって、２つの端部４６１および４６４が形成される。作製物の全体が研磨されることにより、表面が滑らかにされてよく、かつ欠陥がある場合にはこれが除去されてよい。作製物は、さらに、外観上の目的から、染色または着色されてもよい。
【００４８】
他の実現例において、ディフューザ要素は、鋳造、成型、またはダイカットされてよく、または、木、植物性材料、もしくは、セルロース繊維を含有する他の材料で作製された要素に対して上述の特徴を付与できる他の技術によって成形されてもよい。
【００４９】
図５〜１３は、香気グラスまたは芳香ディフューザの別の一実現例を示す。この実現例は、「Ｓｕｅ」型とも称され得る。図６は、この香気グラスの分解図である。このディフューザは、木製の「時計仕掛け」とも称され得るディフューザ要素を有する。２つのタンクは、砂時計の２つの部材であり、これらは２つの同一のグラスまたはボトルであってよい。
【００５０】
図７は、ディフューザ要素の分解図である。ディフューザ要素は、２つの部材または部分、すなわち内側部分６０６および外側部分６１２を有する。内側部分６０６は円筒形であり、管、ガスケット、窪み（図示せず）、および角度のついた端部を含む。内側部分は、ダボであってよく、グラスとダボとの間の隙間を封止し得るオーリング２つを保持してよい。ディフューザ要素のこれら２つの部分は、上述された技術などの木工技術によって形成されてよい。
【００５１】
本願は、具体的な寸法、測定値、および値を用いて、実現例のいくつかの例を説明する。これらの例は、本発明を網羅的に説明することも、上述された厳密な形態に本発明を限定することも意図していない。これらの寸法または測定値はミリメートル（またはインチ）で示され、曲率半径はミリメートル、角度は度で示される。値は近似値である。これらの値は、たとえば、測定上もしくは製造上のばらつきもしくは公差、または他の要因によって変動してよい。たとえば、これらの値は、製造公差の厳密さに依存して、±５パーセント、±１０パーセント、±１５パーセント、または±２０パーセントの範囲で変動してよい。
【００５２】
さらに、これらの測定値は、デバイスの具体的な一実現例についてのものであり、他の実現例においては、大きな製品に使用するために一部の寸法を大きくしたり、小さな製品に使用するために一部の寸法を小さくしたりといったように、異なる値を用いることができる。相対的測定値を比例的に調整することによって（たとえば、異なる測定値の間の比率を同一またはほぼ同一に維持することによって）、装置を比例的に大きくまたは小さくすることができる。様々な実現例において、これらの値は、所定値と同一、所定値とほぼ同一、所定値以上、または所定値以下であってよく、またはこれらの任意の組み合わせであってもよい。
【００５３】
図８〜１０は、内側部分の具体的な一実現例についての、種々の見方、詳細、および寸法（ミリメートル）を示す。一実現例において、内側ダボは、直径が約１インチまたは約２５．３ミリメートルである。ダボの中心には、５／３２インチまたは４ミリメートルの穴が貫通している。端部は、約４５度の角度で切削されている。両側には、１／２３インチまたは１ミリメートルのＬ字型管がある。
【００５４】
外側部分６１２は、複数のスラットまたはリッジ、および複数のグルーブ、および中央コア開口部を含み、中央コア開口部の中に、内側部分が嵌合されてよい。複数のスラットまたはリッジがあることにより、香気の放出を目的として、表面積が比較的大きくなっている。内側部分と外側部分とは、永久的に取り付けられていてよく、または、他の実現例においては、取り外し可能に取り付けられていてよい。永久的に取り付ける手段としては、摩擦嵌合、木材継ぎ、ステープル、釘、ねじ、または糊、またはこれらの組み合わせを挙げることができる。木材継ぎ技術の例としては、たとえば、へり継ぎ、留め継ぎ、突付け継ぎ、蟻継ぎ、ほぞ継ぎ、ダボ接合、クロス重ね（ｃｒｏｓｓ  ｌａｐ）、さねはぎ継ぎ、大入れなどが挙げられる。
【００５５】
中央コア開口部は、第１の半径または直径をもつ２つの区画と、これら２つの区画の間に、第２の半径または直径をもつ１つの区画とを有する。第１の半径は第２の半径より大きい。上記２つの区画のサイズは、グラスの首部または脚部を挿入でき、かつ、グラスの首部または脚部がディフューザ要素の第２の部分で隠れ得るようなサイズである。第２の半径をもつ上記１つの区画のサイズは、第１の部分またはダボが入るサイズである。第１の部分が第２の部分に挿入されると、第２の部分の両側または両端部にガスケットがくることになる。第１の部分は、グラスの開口部に挿入され得て、第２の部分は、グラスの首部または脚部を隠す。
【００５６】
図１１および図１２は、外側部分の具体的な一実現例についての、種々の見方、詳細、および寸法を示す。外側ディフューザは、中心部がくり抜かれていて、内側ダボおよびグラス開口部首部または脚部が嵌合するようになっている。外側は薄く切られていて、これにより、表面積が相対的に大きくなっている。
【００５７】
図１３は、グラスまたはボトルの具体的な一実現例の詳細および寸法を示す。グラスは円錐形であり、狭い首部を有する。グラスの厚さは一様でなくてよい。ボトルの首部は、オーリングをしっかりと嵌合させるために、わずかに円錐形である（たとえば、２８．７ミリメートルから開始し、徐々に狭くなって、２７．５ミリメートルとなる）べきである。グラスは、クリアまたは半透明であってよい。
【００５８】
図１４は、「Ｍａｒｃ」型とも称され得る、香気グラスまたは芳香ディフューザのさらに別の一実現例を示す。Ｍａｒｃ型の外寸は、高さ１６０ミリメートル、幅１２１ミリメートルであってよい。
【００５９】
図１５は、「Ｆｒａｎｚ」型とも称され得る、香気グラスまたは芳香ディフューザのさらに別の一実現例を示す。Ｆｒａｎｚ型の外寸は、高さ１４２ミリメートル、幅１１０ミリメートルであってよい。Ｍａｒｃ型およびＦｒａｎｚ型と比較すると、Ｓｕｅ型は、高さ１６０ミリメートル、幅１０６ミリメートルの外寸を有してよい。
【００６０】
図１６〜２０は、芳香ディフューザのさらに別の一実現例を示す。この実現例は、上述される他の実現例に類似しており、上側のボトル１６１２（図１６参照）、木製リングまたはディフューザ要素１６１５、および下側のボトル１６１８を有する。木製リングは、雌ねじ状受け部を有し、その中に、ボトルの雄ねじ山がねじ込まれる。
【００６１】
図１７は、上記芳香ディフューザの断面図である。木製リングの内部に、ガスケット１７１２、木製コア１７１５、およびガスケット１７１８がある。図１８は、上記芳香ディフューザの各部材の分解図である。図１９は、上記芳香ディフューザの各部材の断面分解図である。図２０は、上記ディフューザ要素の断面の詳細を示す。このディフューザ要素は、木製リング２０１２、ガスケット２０１６、木製コア２０２０、およびガスケット２０２８を含む。
【００６２】
図１７を参照して、ガスケット１７１２は、上側のボトルの上部と木製リングとの間の封止材である。ガスケット１７１８は、下側のボトルの上部と木製リングとの間の封止材である。上側のボトル中の香気オイルが木製コアに浸み込み、木製コアが香気オイルを木製リングへと分散させる。木製リングはスラット、フィン、またはリッジを有しており、香気を空気中に分散させる。木製コアは、また、穴（図１７中に示す）を有し、この穴を通って、香気オイルが上側のボトルから下側のボトルへと落ちる。
【００６３】
ガスケット１７１２および１７１８は、ボトルの上部を木製リングに対して封止する。木製コアと木製リングとは、接着されている、または噛み合っており、これによって、両者の間を通ってディフューザから液体が漏出しないようになっている。この接着または噛み合いは、接着剤または糊、ラミネート、コルク、ガスケット材料（たとえば、液体が浸潤はするが漏出はしないガスケット）、コーティング、ダボ、ステープル、釘、ねじ、密な摩擦嵌合、木材継ぎ（たとえば、蟻継ぎ、フィンガー継ぎ、重ね継ぎ、留め継ぎ、大入れ、実矧ぎ、ほぞ、三枚組継ぎ、さねはぎ継ぎなど）、または他の種類の接着によってなされてよい。別の一実現例において、木製リングと木製コアとは、一体化されていて、単一部分からなる要素である。
【００６４】
図２１は、木製リングの透視斜視図である。図２２は、木製リングの側面図であり、木製リングの内側の管がゴースト表示されている。木製リングは、中心軸に対して鉛直方向に対称である。木製リングは、木製リングの中程を通る水平な線または面に対して水平方向に対称である。
【００６５】
木製リングは、その上部と下部とにねじ山が切られている。木製リングの中心には、貫通穴（たとえば、直径１８ミリメートル）がある。上３つのスロットまたはグルーブは浅めである（たとえば、中心からの半径が２５ミリメートルである）。中央の４つのスロットは、それよりも深い（たとえば、中心からの半径が１６ミリメートルである）。具体的な一実現例は、特徴として、表Ａ中に列記される測定値または寸法を有する。
【００６６】
【表１】
2019534077.tif 000003
【００６７】
上部ねじ開口部について、特徴２２１２は、ねじ状受け部の、ねじ山の底部における幅または直径である。特徴２２１５は、ねじ状受け部の、ねじ山の頂部における幅または直径である。特徴２２１８は、木製リングの上側部分と下側部分との間にある管または開口部の幅または直径である。
【００６８】
下部ねじ開口部について、特徴２２２１は、ねじ状受け部の、ねじ山の底部における半径である。特徴２２２１は、管の中心と第１の木境界位置との間の幅であり、第１の木境界位置とは、中心管の長さ２２４５の全体にわたって鉛直方向に延在する木製スラット同士の間にある。特徴２２２５は、管の中心と第２の木境界との間の幅または半径であり、第２の木境界とは、下部ねじ開口部の長さ２２４８の全体にわたって鉛直方向に延在する木製スラット同士の間にある。特徴２２２８は、最も下にあるスラットの幅または直径である。
【００６９】
特徴２２４２は、上部ねじ開口部の鉛直方向の長さである。特徴２２４２は、下部ねじ開口部についての特徴２２４８と対称である。特徴２２５２は、木製リングの水平方向の長さである。
【００７０】
図２３Ａ〜２３Ｄは、芳香ディフューザの木製コア要素の詳細を示す。木製コアは、木製リングの管または貫通穴の中に嵌合される。図２３Ａは、第１の側面図である。図２３Ｂは、第２の側面図である。図２３Ｃは、斜視透視図である。図２３Ｄは、上面図である。
【００７１】
木製コアは、中心軸に対して鉛直方向に対称である。木製リングは、木製コアの中程を通る水平な線または面に対して水平方向に対称である。具体的な一実現例は、特徴として、表Ｂ中に列記される測定値または寸法を有する。
【００７２】
【表２】
2019534077.tif 000004
【００７３】
特徴２３１２は、木製コアの水平方向の長さである。特徴２３１５は、木製コアの円錐形の上側部分の長さである。特徴２３１７は、木製コアの円錐形の上側部分と円錐形の下側部分との間に連結される円筒形シャフト部である。特徴２３１９は、木製コアの円錐形の下側部分の長さであり、木製コアの円錐形の下側部分は、円錐形の上側部分の鏡像である。
【００７４】
図２３Ａ中の破線は、円錐形の上側部分の上側表面から、円筒形シャフト部を通って、円錐形の下側部分の下側表面へと、木製コアを貫通する管を示す。図２３Ｂは、木製コアを、図２３Ａ中に示される角度に対して９０度回転させたものを示す。
【００７５】
木製コア中のこの管は、中心から外れた位置にある。この管は、上側のタンクから下側のタンクへと液体を運搬するために使用される。中心から外れた位置にあることによって（たとえば中心に位置するよりも）、管は、チャンバの下側の区画にシフトしている。そのため、封止材、または円錐の下端に近づいた位置になっており、より多量の香気オイルが上側の器から排出され得る。管がこれより高い位置（たとえば中心）にあると、香気オイルの一部が滞り、下側の器の中に排出され得なくなる可能性がある。
【００７６】
図２３Ｄを参照して、特徴２３３２は、木製コアの中心と管の中心との間の距離である。特徴２３３５は、管の直径である。特徴２３３８は、木製コアの直径である。
【００７７】
図２４および図２５は、芳香ディフューザのボトルの詳細を示す。図２４は、ボトルの斜視透視図である。図２５は、ボトルの側面図であり、破線は、ボトル内側の空間の輪郭を示す。芳香ディフューザは、２つのボトルを有し、一実現例において、この２つは同一である。具体的な一実現例は、特徴として、表Ｃ中に列記される測定値または寸法を有する。
【００７８】
【表３】
2019534077.tif 000005
【００７９】
特徴２５１２は、ボトルの最大の幅または直径である。ボトルは、底の幅が最も広い。特徴２５１４は、下部の上側リムにおける幅または直径である。特徴２５１７は、ボトルのねじ部の外径である。特徴２５１９は、ボトルのねじ部の内径である。ねじ部は、ボトルの上側リムに連結している。
【００８０】
特徴２５３２は、ねじ部と広口ビン部とを両方含んだ、ボトルの全高である。特徴２５４２は、ねじ部の高さである。特徴２５４５は、広口ビン部の高さである。
【００８１】
図２６は、芳香ディフューザの一実現例の写真である。
ここまで、本発明を、例示および説明を目的として記載しているが、上述された記載は、本発明を網羅的に説明することも、上述された厳密な形態に本発明を限定することも意図しておらず、上述された教示に鑑みて多くの修正および変形が可能である。本発明の原理およびその実際的な応用を最もよく説明するために、実施形態を選択して記載している。この記載によって、当業者であれば、様々な実施形態でまたは特定の用途に適した様々な修正を加えて、本発明を最適に利用かつ実施することができるであろう。本発明の範囲は、以下の特許請求の範囲によって定義される。
【図１】
2019534077.tif 000006
【図２】
2019534077.tif 000007
【図３】
2019534077.tif 000008
【図４】
2019534077.tif 000009
【図５】
2019534077.tif 000010
【図６】
2019534077.tif 000011
【図７】
2019534077.tif 000012
【図８】
2019534077.tif 000013
【図９】
2019534077.tif 000014
【図１０】
2019534077.tif 000015
【図１１】
2019534077.tif 000016
【図１２】
2019534077.tif 000017
【図１３】
2019534077.tif 000018
【図１４】
2019534077.tif 000019
【図１５】
2019534077.tif 000020
【図１６】
2019534077.tif 000021
【図１７】
2019534077.tif 000022
【図１８】
2019534077.tif 000023
【図１９】
2019534077.tif 000024
【図２０】
2019534077.tif 000025
【図２１】
2019534077.tif 000026
【図２２】
2019534077.tif 000027
【図２３Ａ】
2019534077.tif 000028
【図２３Ｂ】
2019534077.tif 000029
【図２３Ｃ】
2019534077.tif 000030
【図２３Ｄ】
2019534077.tif 000031
【図２４】
2019534077.tif 000032
【図２５】
2019534077.tif 000033
【図２６】
2019534077.tif 000034
【国際調査報告】
2019534077.tif 000035
2019534077.tif 000036